(57)【要約】【課題】炊飯器本体の操作表示部に蒸気が侵入するのを防止して、操作表示部が曇ることなく確実に表示が見えるようにした炊飯器を提供することを目的とする。【解決手段】鍋２を着脱自在に収納する保護枠３の上方位置の上枠６には、炊飯器本体１内部で保護枠３の外方位置に筒状リブ７を設け、保護枠３に固定した皿形状の遮熱枠５は、その外周端部を筒状リブ７の位置とほぼ同位置に設け、筒状リブ７の端部と遮熱枠５の外周端部とを当接させたものである。これによって、上枠６の筒状リブ７の端部と遮熱枠５の外周端部との隙間をなくしているため、保護枠３内に誤って水が侵入した場合でも、蒸気は筒状リブ７と遮熱枠５により阻止され、炊飯器本体１の操作表示部１９への蒸気侵入が防止され、炊飯器本体１内部の温度より外気温度が低い状態においても、操作表示部１９が曇ることなく外部から確実に表示を見ることができる。【選択図】図１
2007313066.tif 000002
【特許請求の範囲】
【請求項１】
炊飯器本体は、鍋を加熱する加熱手段と、内部に鍋を着脱自在に収納する保護枠と、加熱手段の下方で保護枠に固定した皿形状の遮熱枠と、保護枠の上方位置に構成した上枠と、炊飯器本体に設け調理メニューや調理状態の表示をする操作表示部と、炊飯器本体の開口部を覆う開閉自在な蓋とを有し、前記上枠には炊飯器本体内部で保護枠の外方位置に筒状リブを設け、前記遮熱枠はその外周端部を筒状リブの位置とほぼ同位置に設け、筒状リブの端部と遮熱枠の外周端部とを当接させた炊飯器。
【請求項２】
上枠の筒状リブの端部と遮熱枠の外周端部との少なくとも一方に他方と当接する弾性部材を設けた請求項１に記載の炊飯器。
【請求項３】
遮熱枠の外周端部を筒状リブと当接させた状態で下方に折り曲げ、その折り曲げ端部に、炊飯器本体を構成するボディ内面と当接する弾性部材を設けた請求項１に記載の炊飯器。
【発明の詳細な説明】
【技術分野】
【０００１】
本発明は、炊飯器本体の前面に調理メニューや調理状態の表示をする操作表示部を備えた炊飯器に関するものである。
【背景技術】
【０００２】
従来、この種の炊飯器は、米と水を入れる鍋が、金属鋼板製の保護枠に収納され、加熱手段によって加熱される。そして、保護枠の下方には金属鋼板製の遮熱枠が設けられ、保護枠の上方位置に構成した上枠には筒状リブを設けている構成を採用している（例えば、特許文献１参照）。
【特許文献１】特開平０９―１９２００８号公報
【発明の開示】
【発明が解決しようとする課題】
【０００３】
しかしながら、従来の構成では、鍋を保護枠から取り出し米を洗った際に鍋外面に水が付着したまま鍋を元に戻した場合や、鍋を戻す際に鍋から水がこぼれたりすることにより、保護枠内に誤って水が侵入し、これが炊飯時または保温時の加熱により蒸気となり、保護枠底部のセンサー取り付け穴や加熱手段の端子穴などを通過して充満するものである。そして、保護枠の下方の遮熱枠や保護枠の上方位置に構成した上枠には蒸気阻止のための特別配慮がなされていないため、蒸気は炊飯器本体に設けた調理状態などの表示をする操作表示部に侵入し、炊飯器本体内部の温度より外気温度が低いと操作表示部が曇ってしまい、表示が見づらくなるという課題を有していた。
【０００４】
本発明は、前記従来の課題を解決するもので、炊飯器本体の操作表示部に蒸気が侵入するのを防止して、操作表示部が曇ることなく確実に表示が見えるようにした炊飯器を提供することを目的とする。
【課題を解決するための手段】
【０００５】
前記従来の課題を解決するために、本発明の炊飯器は、鍋を着脱自在に収納する保護枠の上方位置の上枠には、炊飯器本体内部で保護枠の外方位置に筒状リブを設け、保護枠に固定した皿形状の遮熱枠は、その外周端部を筒状リブの位置とほぼ同位置に設け、筒状リブの端部と遮熱枠の外周端部とを当接させたものである。
【０００６】
これによって、上枠の筒状リブの端部と遮熱枠の外周端部との隙間をなくしているため、保護枠内に誤って水が侵入した場合でも、蒸気は筒状リブと遮熱枠により阻止され、炊飯器本体の操作表示部への蒸気侵入が防止され、炊飯器本体内部の温度より外気温度が低い状態においても、操作表示部が曇ることなく確実に表示を見ることができる。
【発明の効果】
【０００７】
本発明の炊飯器は、炊飯器本体の操作表示部への蒸気侵入を防ぎ、炊飯器本体内部の温度より外気温度が低い状態においても、操作表示部が曇ることなく確実に表示を見ることができる。
【発明を実施するための最良の形態】
【０００８】
第１の発明は、炊飯器本体は、鍋を加熱する加熱手段と、内部に鍋を着脱自在に収納する保護枠と、加熱手段の下方で保護枠に固定した皿形状の遮熱枠と、保護枠の上方位置に構成した上枠と、炊飯器本体に設け調理メニューや調理状態の表示をする操作表示部と、炊飯器本体の開口部を覆う開閉自在な蓋とを有し、前記上枠には炊飯器本体内部で保護枠の外方位置に筒状リブを設け、前記遮熱枠はその外周端部を筒状リブの位置とほぼ同位置に設け、筒状リブの端部と遮熱枠の外周端部とを当接させた炊飯器とすることにより、上枠の筒状リブの端部と遮熱枠の外周端部との隙間をなくしているため、保護枠内に誤って水が侵入した場合でも、蒸気は筒状リブと遮熱枠により阻止され、炊飯器本体の操作表示部への蒸気侵入が防止され、炊飯器本体内部の温度より外気温度が低い状態においても、操作表示部が曇ることなく確実に表示を見ることができる。
【０００９】
第２の発明は、特に、第１の発明において、上枠の筒状リブの端部と遮熱枠の外周端部との少なくとも一方に他方と当接する弾性部材を設けたことにより、シールの信頼性を向上させることができ、炊飯器本体の操作表示部への蒸気侵入が確実に防止され、炊飯器本体内部の温度より外気温度が低い状態においても、操作表示部が曇ることなく確実に表示を見ることができる。
【００１０】
第３の発明は、特に、第１の発明において、遮熱枠の外周端部を筒状リブと当接させた状態で下方に折り曲げ、その折り曲げ端部に、炊飯器本体を構成するボディ内面と当接する弾性部材を設けたことにより、遮熱枠の外周端部と筒状リブとの当接、および弾性部材を介してのボディ内面との当接で、シールの信頼性が一層向上し、炊飯器本体の操作表示部への蒸気侵入がより確実に防止され、炊飯器本体内部の温度より外気温度が低い状態においても、操作表示部が曇ることなく確実に表示を見ることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における炊飯器を示すものである。
【００１３】
図に示すように、本実施の形態において、炊飯器本体１は、鍋２の底部と側面を加熱するヒータなどの加熱手段４、１０と、内部に加熱手段４を、外側面には加熱手段１０をそれぞれ配置するとともに鍋２を着脱自在に収納する筒状の保護枠３と、加熱手段４の下方で保護枠３の底部にネジなどで固定した金属製で皿形状の遮熱枠５と、保護枠３の上方位置に構成した合成樹脂製の上枠６と、鍋２の底部の温度を検知する温度検知センサー１６と、温度検知センサー１６の温度情報により加熱制御する制御基板１７と、炊飯器本体１の開口部を覆う開閉自在な蓋１３と、炊飯器本体１の前面に設け調理メニューや調理状態の表示をする透明な窓部をもった操作表示部１９とを有している。なお、炊飯器本体１を構成する合成樹脂製のボディ８は遮熱枠５にネジなどで固定されている。また、蓋１３はその内部に蓋加熱手段１１と蓋加熱手段１１からの放熱を抑える蓋断熱材１２が配設され、鍋２の上部よりも効果的に加熱するようになっている。この蓋１３は、炊飯器本体１の上部を構成する上枠６に一体に形成されたヒンジ部１４に、ヒンジ軸１５を介して回転自在に支持されている。
【００１４】
そして、前記保護枠３の外周位置で、上枠６には、円筒形などの筒状リブ７を一体成型で設けている。この筒状リブ７と遮熱枠５の外周端部との位置はほぼ同位置に設けてあり、筒状リブ７の端部と遮熱枠５の外周端部とが当接するようにし、筒状リブ７の端部と遮熱枠５の外周端部との隙間をなくしている。
【００１５】
以上のように構成された炊飯器について、以下、その動作、作用を説明する。
【００１６】
鍋２に米と水を入れ通電すると、温度検知センサー１６が鍋２の温度検知し、この温度情報により制御基板１７が加熱手段４、１０、１１の通電を制御し、鍋２上面、側面および底面から加熱して、ご飯全体を包み込むように炊き上げる。炊飯終了と同時に保温に入り、ご飯をあらかじめ設定された保温温度に維持するものである。
【００１７】
ここで、鍋２を炊飯器本体１から取り出し、米を洗い鍋２外面に水が付着したまま鍋２を炊飯器本体１に戻す時や、鍋２を炊飯器本体３１に戻す時に鍋２から水がこぼれたりすることにより、保護枠３３内に誤って水が侵入する場合がある。この場合は、炊飯時または保温時の加熱手段４、１０の熱量により侵入した水が蒸気となり、蒸気が保護枠３底部の温度検知センサー１６の取り付け穴や加熱手段４の端子穴などを通過して保護枠３３の外方で充満する。しかしながら、炊飯器本体１内部で保護枠３の外方位置で、上枠６から設けられた筒状リブ７の先端と遮熱枠５の外周端部を当接させて隙間をなくしているため、炊飯器本体１前面の操作表示部１９に蒸気が侵入することはない。したがって、炊飯器本体１内部の温度より外気温度が低い状態においても、操作表示部１９が曇ることがない。
【００１８】
このように、本実施の形態においては、保護枠内に誤って水が侵入した場合でも、蒸気は筒状リブ７と遮熱枠５により阻止され、炊飯器本体１の操作表示部１９への蒸気侵入が防止され、炊飯器本体内部の温度より外気温度が低い状態においても、操作表示部１９が曇ることなく、調理メニューや調理状態の表示を炊飯器本体１の外方より確実に見えることができる。
【００１９】
なお、本実施の形態では、加熱手段４として、図に示すように鋳込みヒータを熱源として用いた例を示しているが、電磁誘導加熱ヒータやハロゲンヒータなどの他の熱源を用いた場合も同じである。また、加熱手段１０、１１としては、電磁誘導加熱ヒータ、ニクロムヒータ、面状ヒータなどが用いられる。
【００２０】
（実施の形態２）
図２は、本発明の実施の形態２における炊飯器を示すものである。実施の形態１と同一要素については同一符号を付してその説明を省略する。
【００２１】
図に示すように、本実施の形態においては、上枠６の筒状リブ７の端部と遮熱枠５の外周端部との少なくとも一方に他方と当接するシリコンゴム、独立発泡のウレタンなどの弾性部材９を設けたものである。弾性部材９は、遮熱枠５の外周端部に設けた例を示しているが、これに代わり筒状リブ７の端部に設けてもよく、また、遮熱枠５の外周端部と筒状リブ７の端部の両方に設けてもよい。なお、図に示すように、遮熱枠５の外周端部と筒状リブ７の端部をオーバーラップさせて側面で当接するようにすれば、遮熱枠５と筒状リブ７間の隙間を確実になくすことができシールの信頼性を向上させることができる。この場合、オーバーラップは遮熱枠５の外周端部と筒状リブ７の端部のいずれが内側であっても外側であってもかまわない。その他の炊飯器の構成およびその動作、作用は、実施の形態１と同様である。
【００２２】
このように、本実施の形態においては、弾性部材９を用いることにより、シールの信頼性を向上させることができ、炊飯器本体１の操作表示部１９への蒸気侵入が確実に防止され、炊飯器本体内部の温度より外気温度が低い状態においても、操作表示部１９が曇ることなく、調理メニューや調理状態の表示を炊飯器本体１の外方より確実に見ることができる。
【００２３】
（実施の形態３）
図３は、本発明の実施の形態３における炊飯器を示すものである。実施の形態１と同一要素については同一符号を付してその説明を省略する。
【００２４】
図に示すように、本実施の形態においては、遮熱枠５の外周端部を筒状リブ７の端部とオーバーラップさせて側面で当接させた状態で下方に折り曲げ、その折り曲げ端部に、炊飯器本体１を構成するボディ８内面と当接するシリコンゴム、独立発泡のウレタンなどの弾性部材１８を設けたものである。弾性部材１８はその形状が限定されるものではないが、上下方向に伸縮できる筒状のものが望ましい。その他の炊飯器の構成およびその動作、作用は、実施の形態１と同様である。
【００２５】
このように、本実施の形態においては、遮熱枠５の外周端部と筒状リブ７との当接、および弾性部材１８を介してのボディ８内面との当接で、２重にシールをしてシールの信頼性を一層向上させさせることができ、炊飯器本体１の操作表示部１９への蒸気侵入がより確実に防止され、炊飯器本体内部の温度より外気温度が低い状態においても、操作表示部１９が曇ることなく、調理メニューや調理状態の表示を炊飯器本体１の外方より確実に見ることができる。
【００２６】
なお、炊飯容量が１．８Ｌと１．５Ｌの炊飯器では、鍋２の内径が同じでも、鍋２の高さが異なる。しかし、このような場合でも、本実施の形態の構成においては、上枠６と遮熱枠５と弾性部材１８は共用化しても上下方向の高さを吸収できるため、構成変更なく操作表示部１９が曇らない炊飯器を提供することができる。
【産業上の利用可能性】
【００２７】
以上のように、本発明にかかる炊飯器は、炊飯器本体の操作表示部への蒸気侵入を防ぎ、炊飯器本体内部の温度より外気温度が低い状態においても、操作表示部が曇ることなく確実に表示を見ることができるので、家庭用のみならず業務用の炊飯器の用途にも応用できる。
【図面の簡単な説明】
【００２８】
【図１】本発明の実施の形態１における炊飯器を示す断面図
【図２】本発明の実施の形態２における炊飯器を示す断面図
【図３】本発明の実施の形態３における炊飯器を示す断面図
【符号の説明】
【００２９】
１  炊飯器本体
２  鍋
３  保護枠
４  加熱手段
５  遮熱枠
６  上枠
７  筒状リブ
８  ボディ
９、１８  弾性部材
１３  蓋
１７  制御基板
１９  操作表示部
【図１】
2007313066.tif 000003
【図２】
2007313066.tif 000004
【図３】
2007313066.tif 000005